(57)【要約】【課題】被加工物から発生する屑等の塵埃が絞り用工具を支持する工具支持部材と摺動板の間に入り込むことを防止し、工具取付台の寿命の向上を図ることを目的とする。【解決手段】主軸１０先端に、工具取付け台１５に取り付けた絞り用工具Ｒを半径方向に摺動可能に支持する工具支持部材１７を備えた絞り加工装置１において、被加工物Ｗから発生する塵埃を排除する排除機構を備えたことを特徴とする。【選択図】　図１
2004009093.tif 000002
【特許請求の範囲】
【請求項１】
主軸先端に、工具取付台に取り付けた絞り用工具を半径方向に摺動可能に支持する工具支持部材を備えた絞り加工装置において、被加工物から発生する塵埃を排除する排除機構を備えたことを特徴とする絞り加工装置。
【請求項２】
排除機構は、工具支持部材と摺動板との摺動面に対し直角に配設したスライドシールとしたことを特徴とする請求項１記載の絞り加工装置。
【請求項３】
排除機構は、被加工物から発生する塵埃を吸引除去する集塵装置としたことを特徴とする請求項１記載の絞り加工装置。
【請求項４】
集塵装置の吸引口は絞り用工具の移行に伴って移行することを特徴とする請求項３記載の絞り加工装置。
【発明の詳細な説明】
【０００１】
【発明の属する技術分野】
本発明は、絞り加工装置に関し、主としてパイプ先端の絞り加工等に使用される絞り加工装置に関する。
【０００２】
【従来の技術】
従来の上記パイプ先端等円筒部材の絞り加工を行う絞り加工装置として、主軸を固定し、素材を回転させつつ工具取付台に取り付けた絞り用工具を摺動させて素材を絞り加工する装置や、絞り用工具を、回転する主軸先端に取り付けられた工具取付台に半径方向に摺動可能に支持し、これにより絞り加工を行う方式が試みられている。
この場合、工具取付台上の絞り工具の半径方向への移行手段として、該工具取付け台に工具を半径方向に移行するカム板を備え、該取付け台は主軸先端に取り付けられ、カム板は主軸を挿入するカム軸の先端に取り付けられ、該カム軸は、主軸から差動歯車機構を介して回転を伝動する構造が採られている。
【０００３】
【発明が解決しようとする課題】
上記差動歯車機構は、一般に複数の遊星歯車機構を主軸及びカム軸と直列に連結した、例えば特公平３−８４１２号公報に開示される所謂プラネタリー方式を用い、常時は主軸とカム軸とは同一回転速度で回転し、絞り工具の半径方向への移行に際しては、遊星歯車機構を利用することにより、カム軸の回転速度を変速するようにしたものや、上記装置では部品点数が多く構造が複雑である点に鑑み改良されたＷＯ００／２５９５４号公報に開示される、主軸と同芯に嵌挿したカム軸先端に上記工具を半径方向に移行せしめるカム板を備え、上記主軸とカム軸を変速機構を介して係合した絞り加工装置における主軸機構において、上記変速機構を上記主軸及びカム軸と並列に配するとともに、上記主軸とカム軸を中空軸とした絞り加工装置が用いられている。
【０００４】
しかし、絞り加工を施す素材表面から剥離等により屑が発生することがあるとともに、加工する対象物が自動車用部品のマフラー等の場合、中空円筒素材の内部に触媒等を封入したまま絞り加工をする必要があり、触媒などの封入物から屑が発生することがある。
そして、このような場合、発生した屑が、絞り用工具を支持する工具支持部材と摺動板の間に入り込み、工具支持部材と摺動板の接触面を損傷させ、その寿命を大幅に低下させる等の問題があった。
【０００５】
本発明はかかる問題点に鑑み、被加工物から発生する屑等の塵埃が絞り用工具を支持する工具支持部材と摺動板の間に入り込むことを防止し、工具取付台の寿命の向上を図ることを目的とする。
【０００６】
【課題を解決するための手段】
上記目的を達成するための本発明の絞り加工装置は、主軸先端に、工具取付台に取り付けた絞り用工具を半径方向に摺動可能に支持する工具支持部材を備えた絞り加工装置において、被加工物から発生する塵埃を排除する排除機構を備えたことを特徴とする。
【０００７】
上記の構成からなる本発明は、被加工物から発生する屑等の塵埃が、絞り用工具を支持する工具支持部材と摺動板の間に入り込むことを排除し、工具取付台の寿命の向上させることができる。
【０００８】
この場合において、排除機構は、工具支持部材と摺動板との摺動面に対し直角に配設したスライドシールとすることができる。
【０００９】
これにより、既存の設備にも簡単な改造により被加工物から発生する屑等の塵埃が、絞り用工具を支持する工具支持部材と摺動板の間に入り込むことを防止することができる。
【００１０】
また、排除機構は、被加工物から発生する塵埃を吸引除去する集塵装置とすることができる。
【００１１】
これにより、被加工物から発生する屑等の塵埃を吸引除去するから、発生した屑等の塵埃を確実に排除することができる。
【００１２】
この場合において、集塵装置の吸引口は絞り用工具の移行に伴って移行するようにすることができる。
【００１３】
これにより、絞り用工具が被加工物を絞り加工行っている部位の近傍に吸引口が移行しより確実に発生する塵埃等を吸引除去することができる。
【００１４】
【発明の実施の形態】
以下、本発明の実施の形態を図面に基づいて説明する。図１において、絞り加工装置１は、主軸機構２と、該主軸機構２に対向して被加工用パイプＰを支持する支持機構３とを備え、主軸機構２は基台４上に前後方向Ｌに移行可能に載置される。
【００１５】
主軸機構２は、適宜の駆動モータＭにより駆動され、主軸筐体１１にベアリングを介して支持される主軸１０と、該主軸の先端に設けられる絞り用工具取付台１５とを備える。この工具取付台１５は、上記主軸１０の先端に取付フランジ１６を介して取り付けられ、絞り工具Ｒの支持部材１７を半径方向に案内する案内溝１８を備えた主取付台２０と、工具を半径方向に移行するための渦巻き状溝２１を備えたカム板２２とを主体として構成される。２３は工具支持部材１７に取り付けられ、渦巻き状溝２１内に突入する案内ピンを示す。
【００１６】
なお、上記主軸筐体１１は、基台４上に形成した案内レール５に沿って移行可能に載置されており、６はその駆動モータを示す。
【００１７】
７は工具支持部材１７が半径方向に移行する際、カム板２２と工具支持部材１７の間を摺動させるための摺動板を示し、８は工具支持部材１７を摺動板７側に押さえるための押さえ板を示す。
【００１８】
上記主軸１０は中空構造とし、上記カム板２２を先端に取り付けたカム軸２４を主軸内に収納し、上記主軸とカム軸２４とは、変速機構（図示省略）を介して係合される。
【００１９】
この周知の変速機構により主軸１０とカム軸２４は相対速度差（差動）をもち、カム軸２４を介してカム板２２を回動し、工具Ｒを半径方向に出入させることができる。
【００２０】
９は、工具支持部材１７が摺動板７、押さえ板８と摺動する箇所を覆うように配設したスライドシールで、スライドシール９は、図３及び図５に示すように、断面くさび状で、摺動板７と押さえ板８又は工具支持部材１７に摺動面端部を若干はみ出して覆うように配設するもので、その素材はゴム等の弾性体を用いることが好ましい。
【００２１】
上記構成において、工具Ｒを半径方向に出入させ、被加工用パイプＰに絞り加工を施すに際し、被加工用パイプＰの表面から剥離する金属粉やパイプＰの内部に触媒等が封入されている場合に、該封入物から発生する屑等の塵埃は、工具取付台１５の中心方向に移行することにより露出する工具支持部材１７の表面に付着するが、工具支持部材１７が外側へ移行する際にスライドシール９が該塵埃を掻き取り、塵埃が、摺動板７、押さえ板８との摺動面内部にまで入り込むことはない。
【００２２】
次に、図６は、本発明の排除機構に関する別の実施の形態を示し、発生する屑等の塵埃を集塵装置３０で吸引除去するもので、集塵装置３０は、中空に構成したカム軸２４の内部に吸引管３２を配備し、フレキシブル管３３に連接される吸引口３２を工具支持部材１７の適所に配設してなる。
吸引管３２は絞り加工装置１の外部に配備する吸引ファン（図示省略）に接続する。
【００２３】
上記構成において、上述の場合と同様、被加工用パイプＰに絞り加工を施すに際し、発生する屑等の塵埃は、吸引口３２より吸引され、フレキシブル管３３を介し、吸引管３２を通り除去される。
この際、吸引口３２は、工具支持部材１７の適所（図例の如く、ローラＲの下側であって絞り加工に際し、パイプＰから屑等の塵埃が発生する箇所の近傍位置が好ましい。）に配設することにより、吸引口３２は絞り用工具Ｒの移行に伴って移行させることができる。
【００２４】
以上、本発明の絞り加工装置について、その実施例に基づいて説明したが、本発明は上記実施例に記載した構成に限定されるものではなく、その趣旨を逸脱しない範囲において適宜その構成を変更することができるものである。
【００２５】
【発明の効果】
以上の如く本発明によるときは、工具支持部材と摺動板・押さえ板の接触面を損傷させる原因となる絞り加工を施す素材表面から発生する屑や筒素材の内部に封入された触媒等から発生する屑等の塵埃を排除機構により排除するから工具支持部材、摺動板、押さえ板の寿命を大幅に向上することができる。
【００２６】
また、排除機構をスライドシールとしたときは、簡単な構造で既設の絞り加工装置に取り付けることが可能であるとともに、スライドシールが車のワイパーの如く、屑等の塵埃を掻き落とし、工具支持部材と摺動板、押さえ板との摺動面への侵入を防止することができる。
【００２７】
また、排除機構を集塵装置としたときは、発生する屑等の塵埃を、工具支持部材と摺動板、押さえ板との摺動面へ付着する前に吸引除去することができるので、屑等の塵埃が、工具支持部材と摺動板、押さえ板との摺動面へ侵入することをより確実に排除することができる。
【００２８】
さらに、集塵装置の吸引口を絞り用工具の移行に伴って移行させるように構成したときは、屑等の塵埃の発生の多い箇所に追随して吸引することができるから屑等の塵埃の精度の高い吸引除去が可能となる等の効果を有する。
【図面の簡単な説明】
【図１】本発明の絞り加工装置の全体図である。
【図２】工具取付台の平面図である。
【図３】図２におけるＸ−Ｘ線から見た排除機構の正面図である。
【図４】図２におけるＹ−Ｙ線に沿う断面図である。
【図５】図２におけるＺ−Ｚ線に沿う断面図である。
【図６】別の排除機構を説明する断面図である。
【符号の説明】
１　絞り加工装置
２　主軸機構
７　摺動板
９　スライドシール
１０　主軸
１１　主軸筐体
１５　絞り工具取付台
１７　工具支持部材
３０　集塵装置
３１　吸引口
Ｒ　絞り用工具
Ｐ　被加工物
【図１】
2004009093.tif 000003
【図２】
2004009093.tif 000004
【図３】
2004009093.tif 000005
【図４】
2004009093.tif 000006
【図５】
2004009093.tif 000007
【図６】
2004009093.tif 000008